(57)【特許請求の範囲】
【請求項１】
上下枠と左右の縦枠を枠組みしてなる枠体に、上下框と縦框及び召合わせ框を框組みしてなる框体を有する内障子と外障子を納めてなるサッシにおいて、
前記枠体または框体の上端コーナー部には樹脂製のコーナー部品が設けられ、該コーナー部品の下方には金属製の受け板部が設けられ、該受け板部より上方であって前記コーナー部品より下方には加熱発泡剤が設けられることを特徴とするサッシ。
【請求項２】
前記縦框には前記コーナー部品として上端部に樹脂製の上振止部品が取付けられ、
前記上振止部品は、前記上枠に形成される上レール部に対し長手方向に沿って摺動自在な飲込部を備えると共に、金属製の上端金属部品を一体的に有してなり、
前記上端金属部品には、前記飲込部を構成する側壁に沿う側面部と、該側面部の下端部に形成される水平面状の前記受け板部が形成され、該受け板部の上面に前記加熱発泡剤が設けられることを特徴とする請求項１記載のサッシ。
【請求項３】
前記上端金属部品の側面部にも前記加熱発泡剤が設けられることを特徴とする請求項２記載のサッシ。
【請求項４】
前記召合わせ框には前記コーナー部品として上端部に召合わせ振止部材が取付けられ、
前記召合わせ振止部材は、金属製の本体部品と、該本体部品に取付けられる樹脂製の摺動部品とからなり、前記摺動部品は前記上レール部に摺接する摺接部を有した樹脂溝部を有し、
前記本体部品の下面が前記受け板部とされ、該受け板部の上面に前記加熱発泡剤が設けられることを特徴とする請求項１記載のサッシ。
【請求項５】
前記本体部品には、前記摺動部品が取付けられる側面部と、該側面部と対向する対向側面部が設けられ、該対向側面部の内面にも前記加熱発泡剤が設けられることを特徴とする請求項４記載のサッシ。
【請求項６】
前記上枠には、前記内障子が配置される側の室外端部と、前記外障子が配置される側の室内端部に、それぞれ前記コーナー部品として樹脂製のストッパー部材が設けられ、前記内障子が配置される側のストッパー部材の室内側と、前記外障子が配置される側のストッパー部材の室外側とに、それぞれ隣接するように金属製のガイド部材が設けられ、
前記ガイド部材は前記上枠に固定される基部と、該基部から垂下されて前記ストッパー部材に隣接する前記受け板部とを有し、前記基部の下面に前記加熱発泡剤が設けられることを特徴とする請求項１記載のサッシ。
【請求項７】
前記ガイド部材の受け板部と前記ストッパー部材とが一体化されてなることを特徴とする請求項６記載のサッシ。
【請求項８】
前記ガイド部材の基部は前記内障子または外障子の上端部と対向し、前記ガイド部材の受け板部は前記内障子の室外側面または外障子の室内側面と対向することを特徴とする請求項６または７記載のサッシ。
【請求項９】
前記加熱発泡剤は前記基部の下面に当接し、前記基部と共に前記上枠に締結固定されることを特徴とする請求項６〜８のいずれか１項に記載のサッシ。
【発明の詳細な説明】
【技術分野】
【０００１】
本発明は、建物開口部に設けられる枠体内に内外障子を納めたサッシに関し、特に火災発生時に高温に晒されても枠体と障子の隙間を発泡部材で塞ぐことのできるサッシに関する。
【背景技術】
【０００２】
建物開口部に設けられるサッシにおいて、枠体内に内外障子を引き違い状に納めてなる引き違いサッシが広く用いられている。引き違いサッシを含むサッシには、火災が発生した場合にも、一定時間以上、閉塞状態を維持する防火性能が求められる。防火性能を十分に確保するためには、サッシが高温に晒されたとしても、サッシを構成する枠体と障子との間に隙間を生じさせないようにすることが重要である。
【０００３】
サッシには、樹脂製のサッシはもちろんのこと、金属製のサッシにおいても、樹脂部材が各所に用いられている。このような樹脂部材は、火災時の高温に晒されると溶融するから、樹脂部材が溶融しても枠体と障子の位置関係が保たれるようにする必要がある。樹脂サッシにおいては、例えば枠体側と障子側にそれぞれ金属製の部品を設け、火災発生時にはそれらが掛かり合うようにすることで、障子の脱落を防ぐようにしたものが知られている。このようなサッシとしては、例えば特許文献１に挙げるようなものがある。
【先行技術文献】
【特許文献】
【０００４】
【特許文献１】特開２０１０−２６５６４６号公報
【発明の概要】
【発明が解決しようとする課題】
【０００５】
金属製のサッシにおいては、火災時に高温に晒されることで熱膨張が生じ、枠体を構成する枠材や障子を構成する框材が大きく伸びる現象が発生する。枠材や框材の端部に隙間がある場合には、これらの部材は長手方向に伸びていくが、隙間がない場合には、それ以上伸びることができないため、反りが発生して部材が屈曲する。このような屈曲が発生すると、枠体と障子の間には隙間が生じるから、その隙間から火炎が侵入し、防火性能を十分に確保することができない。
【０００６】
障子の上下辺及び縦辺においては、框体を構成する框材を枠体側に引き寄せるような構造を設けることにより、隙間を生じないようにして防火性能を確保することもできる。一方、枠体や框体のコーナー部分には、樹脂製のコーナー部品が設けられていて、障子の振れを防止したり、あるいは障子の金属部分が枠体の金属部分に直接当たらないようにしているが、火災時にこれらが溶融して溶け落ちると、コーナー部分に大きな空間が生じる。したがって、防火性能確保のためには、この空間を何らかの手段で塞ぐ必要がある。
【０００７】
このようなコーナー部分における隙間を塞ぐため、枠体や框体には適宜、加熱発泡剤を設けていた。加熱発泡剤は、高温に晒されることにより発泡して体積が数十倍程度に増加するものであり、これによって空間を塞ぐことが図られている。しかし、サッシが高温に晒された際に加熱発泡剤が所定位置から脱落したり移動したりすると、これを十分に機能させて空間を塞ぐことができない。
【０００８】
また、通常時に機能する樹脂製のコーナー部品が、高温によって溶融し、それが室内側や室外側に流れ出ることが考えられるが、流れ出た樹脂がさらに高温に晒されることで、発火するおそれもあるから、溶融した樹脂が流れ出さないようにする必要もある。
【０００９】
本発明は前記課題を鑑みてなされたものであり、火災時に高温に晒された際に加熱発泡剤により確実にコーナー部分を塞ぎ、溶融した樹脂の流出も防止して防火性能を高くすることのできるサッシを提供することを目的とする。
【課題を解決するための手段】
【００１０】
前記課題を解決するため、本発明に係るサッシは、上下枠と左右の縦枠を枠組みしてなる枠体に、上下框と縦框及び召合わせ框を框組みしてなる框体を有する内障子と外障子を納めてなるサッシにおいて、
前記枠体または框体の上端コーナー部には樹脂製のコーナー部品が設けられ、該コーナー部品の下方には金属製の受け板部が設けられ、該受け板部より上方であって前記コーナー部品より下方には加熱発泡剤が設けられることを特徴として構成されている。
【００１１】
また、本発明に係るサッシは、前記縦框には前記コーナー部品として上端部に樹脂製の上振止部品が取付けられ、
前記上振止部品は、前記上枠に形成される上レール部に対し長手方向に沿って摺動自在な飲込部を備えると共に、金属製の上端金属部品を一体的に有してなり、
前記上端金属部品には、前記飲込部を構成する側壁に沿う側面部と、該側面部の下端部に形成される水平面状の前記受け板部が形成され、該受け板部の上面に前記加熱発泡剤が設けられることを特徴として構成されている。
【００１２】
さらに、本発明に係るサッシは、前記上端金属部品の側面部にも前記加熱発泡剤が設けられることを特徴として構成されている。
【００１３】
さらにまた、本発明に係るサッシは、前記召合わせ框には前記コーナー部品として上端部に召合わせ振止部材が取付けられ、
前記召合わせ振止部材は、金属製の本体部品と、該本体部品に取付けられる樹脂製の摺動部品とからなり、前記摺動部品は前記上レール部に摺接する摺接部を有した樹脂溝部を有し、
前記本体部品の下面が前記受け板部とされ、該受け板部の上面に前記加熱発泡剤が設けられることを特徴として構成されている。
【００１４】
そして、本発明に係るサッシは、前記本体部品には、前記摺動部品が取付けられる側面部と、該側面部と対向する対向側面部が設けられ、該対向側面部の内面にも前記加熱発泡剤が設けられることを特徴として構成されている。
【００１５】
また、本発明に係るサッシは、前記上枠には、前記内障子が配置される側の室外端部と、前記外障子が配置される側の室内端部に、それぞれ前記コーナー部品として樹脂製のストッパー部材が設けられ、前記内障子が配置される側のストッパー部材の室内側と、前記外障子が配置される側のストッパー部材の室外側とに、それぞれ隣接するように金属製のガイド部材が設けられ、
前記ガイド部材は前記上枠に固定される基部と、該基部から垂下されて前記ストッパー部材に隣接する前記受け板部とを有し、前記基部の下面に前記加熱発泡剤が設けられることを特徴として構成されている。
【００１６】
さらに、本発明に係るサッシは、前記ガイド部材の受け板部と前記ストッパー部材とが一体化されてなることを特徴として構成されている。
【００１７】
さらにまた、本発明に係るサッシは、前記ガイド部材の基部は前記内障子または外障子の上端部と対向し、前記ガイド部材の受け板部は前記内障子の室外側面または外障子の室内側面と対向することを特徴として構成されている。
【００１８】
そして、本発明に係るサッシは、前記加熱発泡剤は前記基部の下面に当接し、前記基部と共に前記上枠に締結固定されることを特徴として構成されている。
【発明の効果】
【００１９】
本発明に係るサッシによれば、枠体または框体の上端コーナー部には樹脂製のコーナー部品が設けられ、コーナー部品の側方または下方には金属製の受け板部が設けられ、受け板部より上方には加熱発泡剤が設けられることにより、火災発生時にコーナー部品が溶融しても、金属製の受け板部によって加熱発泡剤が脱落することを防止すると共に、発泡方向を規制して確実に隙間を塞ぐことができる。
【００２０】
また、本発明に係るサッシによれば、樹脂からなる縦框上端部の上振止部品は、金属製の上端金属部品を一体的に有し、上端金属部品には、飲込部を構成する側壁に沿う側面部と、側面部の下端部に形成される水平面状の受け板部が形成され、受け板部の上面に加熱発泡剤が設けられることにより、縦框上端部のコーナー部分において、上振止部品が溶融しても加熱発泡剤が受け板部により支持されると共に、上振止部品側に向かって確実に発泡させることができる。
【００２１】
さらに、本発明に係るサッシによれば、上端金属部品の側面部にも加熱発泡剤が設けられることにより、より確実に発泡により隙間を塞ぐことができる。
【００２２】
さらにまた、本発明に係るサッシによれば、召合わせ框にはコーナー部品として上端部に召合わせ振止部材が取付けられ、召合わせ振止部材は、金属製の本体部品と、本体部品に取付けられる樹脂製の摺動部品とからなり、摺動部品は上レール部に摺接する摺接部を有した樹脂溝部を有し、本体部品の下面が受け板部とされ、受け板部の上面に加熱発泡剤が設けられることにより、召合わせ框上端部のコーナー部分において、摺動部品が溶融しても加熱発泡剤が受け板部により支持されると共に、召合わせ振止部材の設けられる領域を確実に塞ぐことができる。
【００２３】
そして、本発明に係るサッシによれば、本体部品には摺動部品が取付けられる側面部と対向する対向側面部が設けられ、対向側面部の内面にも加熱発泡剤が設けられることにより、端部材が溶融して流出することを加熱発泡剤により防止し、溶融した樹脂に着火することを防止することができる。
【００２４】
また、本発明に係るサッシによれば、上枠の上端部において、内障子が配置される側のストッパー部材の室内側と、外障子が配置される側のストッパー部材の室外側とに、それぞれ隣接するように金属製のガイド部材が設けられ、ガイド部材は上枠に固定される基部と、基部から垂下されてストッパー部材に隣接する受け板部とを有し、基部の下面に加熱発泡剤が設けられることにより、上枠上端部のコーナー部分において、ストッパー部材が溶融しても加熱発泡剤はガイド部材に固定されているので脱落せず、また、受け板部によって確実に上框の上端部に向かって発泡するので、隙間を確実に塞ぐことができる。
【００２５】
さらに、本発明に係るサッシによれば、ガイド部材の受け板部とストッパー部材とが一体化されてなることにより、取付作業性を良好にすることができる。
【００２６】
さらにまた、本発明に係るサッシによれば、ガイド部材の基部は前記内障子または外障子の上端部と対向し、前記ガイド部材の受け板部は前記内障子の室外側面または外障子の室内側面と対向することにより、上枠の内周面と上框との間について、発泡方向を確実に規制することができる。
【００２７】
そして、本発明に係るサッシによれば、加熱発泡剤は基部の下面に当接し、基部と共に上枠に締結固定されることにより、加熱発泡剤をガイド部材と共に強固に固定することができる。
【図面の簡単な説明】
【００２８】
【図１】本実施形態のサッシの縦断面図である。
【図２】本実施形態のサッシの横断面図である。
【図３】縦框を上方から平面視するサッシの拡大横断面図である。
【図４】上振止部品の斜視図である。
【図５】上端金属部品の斜視図である。
【図６】外障子の召合わせ框の平面図である。
【図７】本体部品の斜視図である。
【図８】召合わせ振止部材の側面図である。
【図９】内障子が配置される側の端部近傍における上枠付近の拡大縦断面図である。
【図１０】外障子ストッパー部材及びガイド部材の斜視図である。
【図１１】外障子が配置される側の端部近傍における上枠付近の拡大縦断面図である。
【発明を実施するための形態】
【００２９】
本発明の実施形態について図面に沿って詳細に説明する。図１には本実施形態のサッシの縦断面図を、図２には本実施形態のサッシの横断面図を、それぞれ示している。これら各図に示すように、本実施形態のサッシは、建物開口部に取付けられる枠体１内に、内障子２と外障子３を引き違い状に納めてなる引き違いサッシである。
【００３０】
枠体１は、いずれも金属材からなる上枠１０と下枠１１及び左右の縦枠１２、１２を方形状に枠組みして構成されている。内障子２と外障子３は、それぞれいずれも金属材からなる上框２０と下框２１、縦框２２及び召合わせ框２３を方形状に框組みしてなる框体４内に、ガラス板からなるパネル体５を納めて構成されている。
【００３１】
枠体１を構成する上枠１０は、内周面１０ａの室内外端部からそれぞれ垂直方向に伸びる室内側面１０ｂと室外側面１０ｃを備え、これら室内側面１０ｂと室外側面１０ｃの間には、内障子２の上辺を長手方向に案内する内上レール部１０ｄと、外障子３の上辺を長手方向に案内する外上レール部１０ｅとが、それぞれ内周面１０ａから突出状に形成されている。
【００３２】
枠体１を構成する下枠１１は、内周面１１ａが室内外方向に段差を有するように形成されており、室内側が高く、室外側が低くなっている。この内周面１１ａのうち高い側の室内側には、内障子２の下辺を長手方向に案内する内レール部１１ｂが、内周面１１ａのうち低い側の室外側には、外障子３の下辺を長手方向に案内する外レール部１１ｃが、それぞれ突出状に形成されている。
【００３３】
下枠１１の室内側面には、内障子２を構成する下框２１の室内側面と対向する内障子対向部１１ｄが形成され、その先端部には気密材１１ｆが設けられて、この気密材１１ｆが内障子２の室内側面に当接することで、内障子２下辺の気密性を確保している。また、下枠１１には、内レール部１１ｂの下部から室外側に突出し外障子３を構成する下框２１の室内側面と対向する外障子対向部１１ｅが形成され、その先端部には気密材１１ｆが設けられて、この気密材１１ｆが外障子３の室内側面に当接することで、外障子３下辺の気密性を確保している。
【００３４】
枠体１を構成する縦枠１２は、内周面１２ａの室内外端部からそれぞれ垂直方向に伸びる室内側面１２ｂと室外側面１２ｃを備えている。縦枠１２のうち、閉じた状態の内障子２が配置される側の内周面１２ａには、内障子２の外周面に向かって突出する中間フィン部１２ｄが形成されている。また、室内側面１２ｂを構成する面のうち内周面１２ａより見付方向内側に突出する部分は、内障子２を構成する縦框２２の室内側面と対向する室内フィン部１２ｆとなっている。室内フィン部１２ｆの先端部には、気密材１２ｇが設けられて内障子２の室内側面に当接し、内障子２縦辺の気密性を確保している。
【００３５】
縦枠１２のうち、閉じた状態の外障子３が配置される側の内周面１２ａには、外障子３の外周面に向かって突出する中間フィン部１２ｄが形成されている。また、中間フィン部１２ｄより室内側の内周面１２ａからは、外障子３を構成する縦框２２の室内側面と対向する室内フィン部１２ｆが突出しており、その先端部には気密材１２ｇが設けられて外障子３の室内側面に当接し、外障子３縦辺の気密性を確保している。
【００３６】
框体４を構成する上框２０は、内周側にはパネル体５の端部を納めるパネル飲込部２０ａを有し、外周側には上枠１０の内上レール部１０ｄまたは外上レール部１０ｅを飲み込んで案内されるレール案内部２０ｂを有している。レール案内部２０ｂは断面凹状となっており、その開口付近には室内外にそれぞれ気密材２０ｃが設けられていて、これらが内上レール部１０ｄまたは外上レール部１０ｅに当接することで、内障子２及び外障子３上辺の気密性を確保している。
【００３７】
框体４を構成する下框２１は、内周側にパネル体５の端部を納めるパネル飲込部２１ａを有している。下框２１の外周側、すなわち下端部には戸車２１ｄが設けられており、戸車２１ｄが下枠１１の内レール部１１ｂまたは外レール部１１ｃに載置されることにより、内障子２や外障子３を移動自在としている。
【００３８】
下框２１の室内側面には、下端部が下方に延出された室内面延出部２１ｂが形成されている。内障子２の室内面延出部２１ｂは下枠１１の内障子対向部１１ｄと対向し、外障子３の室内面延出部２１ｂは下枠１１の外障子対向部１１ｅと対向して、気密材１１ｆに当接する。下框２１の室外側面にも、下端部が下方に延出された室外面延出部２１ｃが形成されている。室外面延出部２１ｃは、内レール部１１ｂまたは外レール部１１ｃの上端より下方まで延出されており、風雨の室内側への吹き込みを防止している。
【００３９】
框体４を構成する縦框２２は、内周側にパネル体５の端部を納めるパネル飲込部２２ａを有している。縦框２２の外周側には縦枠１２の中間フィン部１２ｄを飲み込む凹状のフィン飲込部２２ｂが形成されている。フィン飲込部２２ｂを構成する室内側面は、縦枠１２の室内フィン部１２ｆに設けられる気密材１２ｇに対して当接し、これによって内障子２及び外障子３縦辺の気密性を確保している。
【００４０】
縦框２２のパネル飲込部２２ａには、長手方向中間位置の室内側部分に、樹脂製のピース状からなる縦引き寄せ部材２５が設けられている。縦引き寄せ部材２５は、内障子２または外障子３が閉じた状態で、パネル飲込部２２ａの室内側面と縦枠１２の中間フィン部１２ｄとに挟まれる形状を有しており、内障子２または外障子３を閉じた際に、縦框２２が室内外方向に振れないようにすると共に、内障子２または外障子３を室内側に引き寄せて、縦框２２が確実に縦枠１２の気密材１２ｇに当接するようにしている。
【００４１】
框体４を構成する召合わせ框２３は、内周側にパネル体５の端部を納めるパネル飲込部２３ａを有している。また、外障子３を構成する召合わせ框２３の室内側壁部２３ｂと、内障子２を構成する召合わせ框２３の室外側壁部２３ｃには、それぞれ略Ｌ字状に形成され内障子２と外障子３が閉じた状態で互いに噛み合う煙返し部２３ｇが形成されている。また、内障子２を構成する召合わせ框２３の室外側壁部２３ｃには、気密材２３ｈが設けられている。煙返し部２３ｇによって、内障子２と外障子３の召合わせ部分における隙間が塞がれ、さらに気密材２３ｈによって召合わせ辺の気密性を確保している。
【００４２】
次に、枠体１または框体４のコーナー部分において火災発生時に生じる隙間を塞ぐ手段について詳細に説明する。火災が発生してサッシが高温に晒されると、枠体１や框体４のコーナー部分に設けられる樹脂製のコーナー部品が溶融して溶け落ち、隙間を生じるから、防火性能を低下させる。そこで、本実施形態では、コーナー部品が溶け落ちても加熱発泡剤によって隙間を埋めることで、防火性能を確保しようとしている。
【００４３】
図３には、縦框２２を上方から平面視するサッシの拡大横断面図を示している。なお、この図では上框２０は省略されている。この図に示すように、框体４の上端コーナー部となる縦框２２の上端部には、コーナー部品として樹脂製の上振止部品３０が設けられている。上振止部品３０は、上框２０のレール案内部２０ｂよりも幅狭で上枠１０の内上レール部２０ｄまたは外上レール部２０ｅに対し長手方向に沿って摺動自在な飲込部３０ａを有している。飲込部３０ａの両開口縁には、ヒレ部３０ｂが形成されており、これらが内上レール部２０ｄまたは外上レール部２０ｅに対して直接、摺接する。また、飲込部３０ａの外周側端部には、中間フィン部１２ｄに当接して縦框２２を室内側に引き寄せる引き寄せ部３０ｃが形成されている。
【００４４】
図４には、上振止部品３０の斜視図を示している。上振止部品３０には、金属製の上端金属部品３１が一体的に取付けられている。図５には上端金属部品３１の斜視図を示している。上端金属部品３１は、上振止部品３０の飲込部３０ａを構成する側壁に沿う２つの側面部３１ａ、３１ａを有し、各側面部３１ａの外周端は、それぞれ端部に向かって広がる方向に傾斜して縦傾斜面部３１ｂを構成している。
【００４５】
上端金属部品３１には、側面部３１ａの下端部に水平面状の受け板部３１ｃが形成されている。上振止部品３０は、上端金属部品３１の側面部３１ａに沿うように設けられるから、受け板部３１ｃは上振止部品３０の下方に位置することとなる。受け板部３１ｃの上面には、加熱発泡剤３１ｄが設けられている。加熱発泡剤３１ｄは、所定温度以上になると発泡して体積が数十倍に増加するものであり、火災発生時にサッシが高温に晒されるのに伴い、発泡して上振止部品３０が設けられる領域を塞ぐ。
【００４６】
火災発生時には、樹脂からなる上振止部品３０は溶融するが、金属からなる上端金属部品３１は縦框２２に固定された状態をそのまま維持する。このため、受け板部３１ｃの上方に配置された加熱発泡剤３１ｄは、上振止部品３０が溶け落ちても支持された状態となり、上振止部品３０が設けられる受け板部３１ｃより上方の領域を確実に塞ぐことができる。
【００４７】
また、上端金属部品３１には、図４に示されているように、側面部３１ａにも加熱発泡剤３１ｅが設けられる。側面部３１ａの加熱発泡剤３１ｅは、対向する側面部３１ａと向き合う面にそれぞれ設けられている。すなわち、加熱発泡剤３１ｅは上端金属部品３１の受け板部３１ｃよりも上方に設けられるから、火災発生時には少なくとも受け板部３１ｃより下方には脱落しないようにすることができる。
【００４８】
また、加熱発泡剤３１ｄは、受け板部３１ｃと２つの側面部３１ａ、３１ａに囲まれた領域に向かうように設けられているので、これらの壁部に沿って確実に隙間を埋めるように発泡することができる。つまり、受け板部３１ｃは、加熱発泡剤３１ｄの発泡の方向も規制することができる。
【００４９】
図６には、外障子３の召合わせ框２３の平面図を示している。框体４のコーナー部分となる召合わせ框２３の上端部には、上枠１０の内上レール部１０ｄまたは外上レール部１０ｅに対して長手方向に摺接自在な召合わせ振止部材４０が設けられている。
【００５０】
召合わせ框２３は、室内側壁部２３ｂと室外側壁部２３ｃ、内周壁部２３ｄ及び外周壁部２３ｅに囲まれた中空部分を有しており、この中空部分に召合わせ振止部材４０が挿入される。図６に表れているのは、召合わせ振止部材４０を構成する部品のうち、樹脂からなるコーナー部品としての摺動部品４２及び上面部品４３であり、これらが上枠１０の外上レール部１０ｅに対して摺接する。これら摺動部品４２と上面部品４３は、金属からなる本体部品４１に取付けられている。
【００５１】
召合わせ振止部材４０は、上枠１０の外上レール部１０ｅに対して摺接する摺接部４２ｂを開口に有する溝部分を有し、この溝部分は外障子３が移動する方向に沿って設けられている。召合わせ框２３の内周壁部２３ｄと外周壁部２３ｅには、それぞれ召合わせ振止部材４０の溝部分と連続して上枠１０の外上レール部１０ｅを飲み込むＵ字状の切欠部２３ｉが形成されている。
【００５２】
図７には、本体部品４１の斜視図を示している。図７において本体部品４１は、召合わせ框２３の内周側に向かって配置される側が、手前側となるように描かれている。図７に示すように、本体部品４１は、略四角形状をなすように形成されており、上面部４１ａと下面を構成する受け板部４１ｂ及び２つの側面部４１ｃ、４１ｄを有している。本体部品４１の側面部４１ｃ、４１ｄは、それぞれ溝状の金属溝部４１ｅを有している。また、本体部品４１の上面部４１ａには、両側面部４１ｃ、４１ｄの金属溝部４１ｅ、４１ｅを連続させる上面溝部４１ｆが形成されている。これらによって形成される溝部分に、上枠１０の内上レール部１０ｄまたは外上レール部１０ｅが飲み込まれる。
【００５３】
図８には、召合わせ振止部材４０の側面図を示している。この図に示すように、本体部品４１の受け板部４１ｂと、摺動部品４２が設けられる側と反対側の側面部４１ｄには、それぞれ内面側に加熱発泡剤４４、４５が設けられる。ここでの加熱発泡剤４４、４５は、火災発生時にサッシが高温に晒されるのに伴い、発泡して召合わせ振止部材４０内を塞ぐことができる。また、側面部４１ｄに設けられる加熱発泡剤４５は、溶融する摺動部品４２が流れ出す方向と対向しているから、発泡によってその流出を抑えることができ、樹脂が流出して着火することを防止することができる。
【００５４】
召合わせ振止部材４０においても、受け板部４１ｂは、樹脂からなる摺動部品４２及び上面部品４３より下方にあって、加熱発泡剤４４、４５は受け板部４１ｂの上方に配置されている。これにより、火災発生時に加熱発泡剤４４、４５が受け板部４１ｂより下方に脱落することがなく、また、受け板部４１ｂによって発泡の向きが規制されるから、樹脂からなるコーナー部品が溶融しても、その隙間を確実に塞ぐことができる。なお、ここでは外障子３の召合わせ框２３について説明したが、内障子２の召合わせ框２３も、同様の構成を有している。
【００５５】
図９には、内障子２が配置される側の端部近傍における上枠１０付近の拡大縦断面図を示している。上枠１０には、内障子２が配置される側の端部近傍に、枠体１のコーナー部品として外障子ストッパー部材５０が設けられる。外障子ストッパー部材５０は、樹脂からなり、外障子３を全開状態とした際に、その框体４が当接し、外障子３が縦枠１２に対し直接衝突しないようにするために設けられる。
【００５６】
図９に示すように、外障子ストッパー部材５０は、上枠１０の外上レール部１０ｅの室内側面及び上枠１０の内周面１０ａにそれぞれ当接する本体部５０ａと、本体部５０ａの室内面上端部から室内側に向かって伸びる延出部５０ｂとを有している。
【００５７】
外障子ストッパー部材５０の室内側には、金属からなるガイド部材５２が取付けられる。ガイド部材５２は、外障子ストッパー部材５０の延出部５０ｂに沿う基部５２ａと、基部５２ａの室外端部から下方に垂下され、外障子ストッパー部材５０の室内側面に沿って側方に位置する受け板部５２ｂとを有している。受け板部５２ｂの外障子ストッパー部材５０側の面には、本体部５０ａに対して係合固定される係合部５２ｃが形成されており、外障子ストッパー部材５０とガイド部材５２は一体化されている。また、受け板部５２ｂは、内障子２を構成する上框２０の室外側面と下端部が対向する。
【００５８】
図１０には、外障子ストッパー部材５０及びガイド部材５２の斜視図を示している。この図に示すように、ブロック状に形成された外障子ストッパー部材５０に対して、その室内側面を覆うようにガイド部材５２が取付けられ、一体化されている。
【００５９】
図９に示すように、受け板部５２ｂよりも上方に位置するガイド部材５２の基部５２ａには、加熱発泡剤５３が重合されており、加熱発泡剤５３と基部５２ａ及び外障子ストッパー部材５０の延出部５０ｂが、上枠１０の内周面１０ａに対してビス止めされている。
【００６０】
火災が発生してサッシが高温に晒されると、樹脂からなる外障子ストッパー部材５０は溶融して溶け落ちるが、金属からなるガイド部材５２はそのまま上枠１０に固定された状態を維持する。そして、ガイド部材５２の基部５２ａに固定された加熱発泡剤５３は、内障子２の上框２０に向かって発泡し、上枠１０の内周面１０ａと上框２０の間の隙間を塞ぐ。
【００６１】
このとき、ガイド部材５２には下方に垂下される受け板部５２ｂが形成されているので、加熱発泡剤５３は受け板部５２ｂにガイドされて、確実に上框２０の上端側に向かって発泡することができる。このように、枠体１のコーナー部品についても、受け板部５２ｂは、樹脂からなる外障子ストッパー部材５０の側方にあって、加熱発泡剤５３は受け板部５２ｂの上方に配置されている。これにより、火災発生時に受け板部５２ｂによって加熱発泡剤５３の発泡の向きが規制され、樹脂からなるコーナー部品が溶融しても、その隙間を確実に塞ぐことができる。
【００６２】
図１１には、外障子３が配置される側の端部近傍における上枠１０付近の拡大縦断面図を示している。この図に示すように、上枠１０の外障子３が配置される側の端部近傍には、枠体１のコーナー部品として内障子ストッパー部材５１が設けられる。内障子ストッパー部材５１には、外障子ストッパー部材５０と同様にガイド部材５２が一体化される。内障子ストッパー部材５１と一体化されるガイド部材５２は、内障子ストッパー部材５１を構成する本体部５１ａの室外側面を覆う受け板部５２ｂと、内障子ストッパー部材５１の本体部５１ａから室外側に延びる延出部５１ｂとを覆う基部５２ａとを有し、基部５２ａには本体部５１ａに対して係合する係合部５２ｃが形成される。また、受け板部５２ｂは、外障子３を構成する上框２０の室内側面と下端部が対向する。
【００６３】
ガイド部材５２の基部５２ａには、加熱発泡剤５３が重合しており、加熱発泡剤５３と基部５２ａ及び内障子ストッパー部材５１の延出部５１ｂが上枠１０の内周面１０ａに対してビス止め固定される。これにより、火災発生時には加熱発泡剤５３が上框２０の上端部に向かって発泡し、発泡の方向はガイド部材５２の受け板部５２ｂによって規制されるから、外障子ストッパー部材５０の場合と同様の効果を得ることができる。
【００６４】
以上、本発明の実施形態について説明したが、本発明の適用は本実施形態には限られず、その技術的思想の範囲内において様々に適用されうるものである。例えば、本実施形態では内外障子２、３が枠体１内に引き違い状に納められるものとしたが、内外障子２、３のいずれかが枠体１に固定された片引きサッシであっても、同様に本発明を適用できる。
【符号の説明】
【００６５】
１    枠体
２    内障子
３    外障子
４    框体
５    パネル体
１０    上枠
１０ａ  内周面
１０ｄ  内上レール部
１０ｅ  外上レール部
１１    下枠
１１ｂ  内レール部
１１ｃ  外レール部
１２    縦枠
２０    上框
２１    下框
２２    縦框
３０    上振止部品
３１    上端金属部品
３１ｃ  受け板部
３１ｄ  加熱発泡剤
３１ｅ  加熱発泡剤
４０    召合わせ振止部材
４１    本体部品
４１ｂ  受け板部
４２    摺動部品
４３    上面部品
４４    加熱発泡剤
４５    加熱発泡剤
５０    外障子ストッパー部材
５１    内障子ストッパー部材
５２    ガイド部材
５２ａ  基部
５２ｂ  受け板部
５３    加熱発泡剤
【図１】
0005861201.tif 000002
【図２】
0005861201.tif 000003
【図３】
0005861201.tif 000004
【図４】
0005861201.tif 000005
【図５】
0005861201.tif 000006
【図６】
0005861201.tif 000007
【図７】
0005861201.tif 000008
【図８】
0005861201.tif 000009
【図９】
0005861201.tif 000010
【図１０】
0005861201.tif 000011
【図１１】
0005861201.tif 000012